(57)【要約】【課題】簡易な構造で端子を係止ランスに案内でき、端子を端子収容室に安定して収容することができるコネクタを提供する。【解決手段】端子収容室３と、端子９と、係止ランス１１とを備えたコネクタ１において、端子収容室３内に、一対の対向壁１３，１３間に設けられたガイド溝１５と、ガイド溝１５を広げる方向に傾斜された一対の拾い部１７，１７とを設け、端子９に、端子収容室３への挿入方向前側に設けられガイド溝１５と係合可能で係止ランス１１に係止された係止突起１９と、この係止突起１９より端子収容室３への挿入方向後側に設けられガイド溝１５に係合されたガイド突起２１とを設けた。【選択図】図５
2017147062.tif 000002
【特許請求の範囲】
【請求項１】
端子収容室と、この端子収容室の挿入開口から内部に挿入された箱状の接続部を有する端子と、前記端子収容室内に撓み可能に設けられ前記端子を係止した係止ランスとを備えたコネクタであって、
前記端子収容室内には、前記係止ランスと前記挿入開口との間で内壁面から内部に向けて突設された一対の対向壁間に設けられたガイド溝と、前記一対の対向壁の前記挿入開口側の端部に連続して設けられ前記挿入開口側に向けて前記ガイド溝を広げる方向に傾斜された一対の拾い部とが設けられ、
前記端子には、前記端子収容室への挿入方向前側に設けられ前記ガイド溝と係合可能で前記係止ランスに係止された係止突起と、この係止突起より前記端子収容室への挿入方向後側に設けられ前記ガイド溝に係合されたガイド突起とが設けられていることを特徴とするコネクタ。
【請求項２】
請求項１記載のコネクタであって、
前記ガイド溝は、前記係止ランスの前記係止突起との係合部にわたって設けられていることを特徴とするコネクタ。
【発明の詳細な説明】
【技術分野】
【０００１】
本発明は、コネクタに関する。詳細には、端子収容室内の係止ランスに係止される端子を備えたコネクタに関する。
【背景技術】
【０００２】
従来、コネクタとしては、端子収容室としてのキャビティと、このキャビティの挿入開口から内部に挿入された箱状の接続部を有する端子と、キャビティ内に撓み可能に設けられ端子を係止した係止ランスとを備えたものが知られている（例えば、特許文献１参照）。
【０００３】
このコネクタでは、キャビティ内に、係止ランスと挿入開口との間で下壁に設けられた突部挿通溝と、この突部挿通溝の端子の挿入方向後側で側方に突部挿通溝より低く設けられたスタビライザ挿通溝とが設けられている。
【０００４】
一方、このコネクタでは、端子に、キャビティへの挿入方向前側に設けられ突部挿通溝と係合可能で係止ランスに係止される係止突起と、この係止突起よりキャビティへの挿入方向後側に設けられスタビライザ挿通溝に係合されるスタビライザとが設けられている。
【０００５】
このようなコネクタでは、キャビティの突部挿通溝と端子の係止突起との係合により、端子が係止ランスに導かれ、キャビティのスタビライザ挿通溝と端子のスタビライザとの係合により、キャビティ内での端子の回転が防止されている。
【先行技術文献】
【特許文献】
【０００６】
【特許文献１】特開２００４−２２３０３号公報
【発明の概要】
【発明が解決しようとする課題】
【０００７】
しかしながら、上記特許文献１のようなコネクタでは、端子の係止ランスへの案内と、端子収容室における端子の回転防止とを、端子収容室に設けられた２つの溝と、この２つの溝に対応してそれぞれ端子に設けられた２つの突起とで行っているので、構造が複雑化していた。
【０００８】
そこで、この発明は、簡易な構造で端子を係止ランスに案内でき、端子を端子収容室に安定して収容することができるコネクタの提供を目的としている。
【課題を解決するための手段】
【０００９】
請求項１記載の発明は、端子収容室と、この端子収容室の挿入開口から内部に挿入された箱状の接続部を有する端子と、前記端子収容室内に撓み可能に設けられ前記端子を係止した係止ランスとを備えたコネクタであって、前記端子収容室内には、前記係止ランスと前記挿入開口との間で内壁面から内部に向けて突設された一対の対向壁間に設けられたガイド溝と、前記一対の対向壁の前記挿入開口側の端部に連続して設けられ前記挿入開口側に向けて前記ガイド溝を広げる方向に傾斜された一対の拾い部とが設けられ、前記端子には、前記端子収容室への挿入方向前側に設けられ前記ガイド溝と係合可能で前記係止ランスに係止された係止突起と、この係止突起より前記端子収容室への挿入方向後側に設けられ前記ガイド溝に係合されたガイド突起とが設けられていることを特徴とする。
【００１０】
このコネクタでは、端子収容室のガイド溝と端子の係止突起との係合により、端子を係止ランスに導くことができ、端子収容室のガイド溝と端子のガイド突起との係合により、端子収容室内での端子の回転を防止することができる。
【００１１】
従って、このようなコネクタでは、端子収容室の１つのガイド溝に端子の係止突起とガイド突起とを係合させることにより、簡易な構造で端子を係止ランスに案内でき、端子を端子収容室に安定して収容することができる。
【００１２】
請求項２記載の発明は、請求項１記載のコネクタであって、前記ガイド溝は、前記係止ランスの前記係止突起との係合部にわたって設けられていることを特徴とする。
【００１３】
このコネクタでは、ガイド溝が、係止ランスの係止突起との係合部にわたって設けられているので、端子を端子収容室の挿入開口から抜く際に、係止突起とガイド溝との係合により安定して端子を端子収容室から離脱させることができる。
【発明の効果】
【００１４】
本発明によれば、簡易な構造で端子を係止ランスに案内でき、端子を端子収容室に安定して収容することができるコネクタを提供することができるという効果を奏する。
【図面の簡単な説明】
【００１５】
【図１】本発明の実施の形態に係るコネクタのハウジングの斜視図である。
【図２】本発明の実施の形態に係るコネクタの端子収容室の断面図である。
【図３】本発明の実施の形態に係るコネクタの端子の側面図である。
【図４】本発明の実施の形態に係るコネクタの分解斜視図である。
【図５】本発明の実施の形態に係るコネクタの断面図である。
【図６】本発明の実施の形態に係るコネクタの正面図である。
【図７】本発明の実施の形態に係るコネクタの端子が傾いて挿入されるときの斜視図である。
【図８】本発明の実施の形態に係るコネクタの端子が傾いて挿入されるときの正面図である。
【発明を実施するための形態】
【００１６】
図１〜図８を用いて本発明の実施の形態に係るコネクタについて説明する。
【００１７】
本実施の形態に係るコネクタ１は、端子収容室３と、この端子収容室３の挿入開口５から内部に挿入された箱状の接続部７を有する端子９と、端子収容室３内に撓み可能に設けられ端子９を係止した係止ランス１１とを備えている。
【００１８】
また、端子収容室３内には、係止ランス１１と挿入開口５との間で内壁面から内部に向けて突設された一対の対向壁１３，１３間に設けられたガイド溝１５と、一対の対向壁１３，１３の挿入開口５側の端部に連続して設けられ挿入開口５側に向けてガイド溝１５を広げる方向に傾斜された一対の拾い部１７，１７とが設けられている。
【００１９】
そして、端子９には、端子収容室３への挿入方向前側に設けられガイド溝１５と係合可能で係止ランス１１に係止された係止突起１９と、この係止突起１９より端子収容室３への挿入方向後側に設けられガイド溝１５に係合されたガイド突起２１とが設けられている。
【００２０】
また、ガイド溝１５は、係止ランス１１の係止突起１９との係合部２３にわたって設けられている。
【００２１】
図１〜図８に示すように、コネクタ１は、合成樹脂などの絶縁性材料からなるハウジング２５を有し、このハウジング２５には複数の端子収容室３が設けられている。
【００２２】
端子収容室３は、長さ方向の一端側が端子９を内部に挿入させる挿入開口５となっており、長さ方向の他端側が内部に収容された端子９に接続される雄型の相手端子（不図示）のタブ状の接続部が挿入される開口となっている。
【００２３】
この端子収容室３が複数設けられたハウジング２５は、相手端子を収容する相手ハウジング（不図示）と嵌合可能となっており、相手ハウジングと嵌合することにより端子収容室３内に収容された端子９と相手端子とが電気的に接続される。
【００２４】
端子９は、導電性材料からなる１枚の板材に対して、打ち抜き加工や折り曲げ加工などを施すことによって、電線圧着部２７と、接続部７とが連続する一部材で形成されている。
【００２５】
電線圧着部２７は、被覆圧着部２９と、芯線圧着部３１とを備えている。
【００２６】
被覆圧着部２９は、一対の加締め片からなり、電源や機器などに接続された被覆電線３３の端末部において、被覆電線３３の被覆部を加締める。
【００２７】
この被覆圧着部２９を被覆電線３３の被覆部に加締めることにより、端子９が被覆電線３３に固定される。
【００２８】
芯線圧着部３１は、接続部７と被覆圧着部２９との間に設けられた一対の圧着片からなり、被覆電線３３の端末部において、被覆電線３３の被覆部から露出された芯線部を加締めて圧着される。
【００２９】
この芯線圧着部３１を被覆電線３３の芯線部に圧着させることにより、端子９が被覆電線３３に電気的に接続される。
【００３０】
接続部７は、底壁が電線圧着部２７と連続する一部材で形成され、両側壁と上壁とを折り曲げ加工によって箱状に形成された雌型の接続部からなる。
【００３１】
この接続部７には、内部に接続部７と連続する一部材で所定の付勢力を有するように弾性変形可能に接点部３５を有する弾性片３７が設けられている。
【００３２】
このような接続部７には、長さ方向の一端側に開口が設けられ、この開口から内部に相手端子のタブ状の接続部が挿入され、弾性片３７の付勢力によって接点部３５がタブ状の接続部と接触することにより、端子９と相手端子とが電気的に接続される。
【００３３】
このような箱状の接続部７を有する端子９は、端子収容室３の挿入開口５から端子収容室３内に挿入され、端子収容室３内に設けられた係止ランス１１に係止されることにより、端子収容室３からの抜け止めがなされる。
【００３４】
係止ランス１１は、基端側が端子収容室３の底壁と連続する一部材で形成され、自由端側が端子収容室３の内部に向けて傾斜しタブ状の接続部が挿入される開口側に配置され、端子収容室３内の上下方向に撓み可能に設けられている。
【００３５】
この係止ランス１１の自由端側には、端子９の係止突起１９に係合される係合部２３が設けられ、端子収容室３内に収容された端子９の係止突起１９と係合部２３とが係合することにより、端子９が端子収容室３内に係止される。
【００３６】
ここで、端子収容室３のタブ状の接続部が挿入される開口は、ハウジング２５に組付けられるフロントホルダ３９に形成されている。
【００３７】
このフロントホルダ３９には、係止ランス１１の下方に位置する空間に挿入される規制部４１が設けられている。
【００３８】
この規制部４１は、端子９を端子収容室３に挿入させる場合、フロントホルダ３９がハウジング２５に対して仮係止状態となっており、係止ランス１１の下方に位置する空間に挿入されず、係止ランス１１が撓み可能となって係止ランス１１が端子９を係止することができる。
【００３９】
一方、規制部４１は、端子９を端子収容室３に収容させた後、フロントホルダ３９をハウジング２５に対して本係止状態とさせることにより、係止ランス１１の下方に位置する空間に挿入され、係止ランス１１が撓み不能となって係止ランス１１による端子９の係止が解除されることを防止する。
【００４０】
このような端子９を係止する係止ランス１１が設けられた端子収容室３内には、ガイド溝１５と、一対の拾い部１７，１７とが設けられている。
【００４１】
ガイド溝１５は、係止ランス１１と挿入開口５との間で、端子収容室３の底壁の内壁面から内部に向けて突設された一対の対向壁１３，１３間に設けられた溝部となっている。
【００４２】
このガイド溝１５は、係止ランス１１の自由端の係合部２３から端子収容室３の中央部にわたって連続して設けられている。
【００４３】
一対の拾い部１７，１７は、一対の対向壁１３，１３の挿入開口５側の端部から一対の対向壁１３，１３と連続して設けられている。
【００４４】
この一対の拾い部１７，１７は、ガイド溝１５の幅を挿入開口５側に向けて広げる方向に傾斜されると共に、挿入開口５側から一対の対向壁１３，１３側に向けて上り傾斜となるように傾斜されている。
【００４５】
このような一対の拾い部１７，１７は、端子９を端子収容室３内に挿入させる際に、端子９が傾斜されている場合、端子９の係止突起１９と摺動し、端子９の傾斜を補正しつつ、端子９の係止突起１９をガイド溝１５に案内する。
【００４６】
係止突起１９は、端子９の接続部７の外壁面において、端子９の端子収容室３への挿入方向前側に位置され、接続部７の外方に向けて突設されている。
【００４７】
この係止突起１９は、ガイド溝１５と係合可能となっており、端子９を端子収容室３内に挿入させる際に、ガイド溝１５と係合し、係止ランス１１を下方に撓ませながら係止ランス１１の係合部２３に導かれる。
【００４８】
そして、係止突起１９は、係止ランス１１の係合部２３に到達すると、係止ランス１１が上方に向けて復元し、係止ランス１１の係合部２３に係合され、端子９が端子収容室３内に係止される。
【００４９】
このように係止突起１９とガイド溝１５との係合により、係止突起１９を係止ランス１１の係合部２３に導くことができ、係止ランス１１によって端子９を確実に係止することができる。
【００５０】
一方、ガイド溝１５は、係止ランス１１の係合部２３にわたって設けられているので、治具などによって係止ランス１１を下方に撓ませて係止を解除させた状態で、端子９を挿入開口５から引き抜く際に、係止突起１９とガイド溝１５との係合により安定して端子９を端子収容室３から離脱させることができる。
【００５１】
このような係止突起１９が設けられた端子９には、ガイド溝１５と係合可能なガイド突起２１が設けられている。
【００５２】
ガイド突起２１は、端子９の接続部７の外壁面において、接続部７の長さ方向の係止突起１９と同一位置で、端子９の端子収容室３への挿入方向後側に位置され、接続部７の外方に向けて突設されている。
【００５３】
このガイド突起２１は、係止突起１９と同様に、ガイド溝１５と係合可能となっており、端子９を端子収容室３内に挿入させる際に、ガイド溝１５と係止突起１９との係合が完了してある程度、端子９が端子収容室３内に挿入された状態で、ガイド溝１５と係合される。
【００５４】
そして、ガイド突起２１は、係止突起１９が係止ランス１１の係合部２３に係合された状態、すなわち端子９が端子収容室３内に係止された状態で、ガイド溝１５との係合が保持されている。
【００５５】
このガイド突起２１とガイド溝１５との係合により、端子９が端子収容室３内に係止された状態で、端子９が端子収容室３内で回転するように傾くことがなく、端子９を端子収容室３内に安定して保持することができる。
【００５６】
一方、ガイド突起２１とガイド溝１５との係合は、係止突起１９とガイド溝１５とが係合した後に行われ、端子９の端子収容室３への挿入時における傾きは、係止突起１９と一対の拾い部１７，１７との摺動によって補正されている。
【００５７】
このため、ガイド突起２１とガイド溝１５とが係合したときには、すでに端子９の傾きは補正されており、この補正された端子９の挿入姿勢を、端子９が端子収容室３に完全に収容されるまで、ガイド突起２１とガイド溝１５との係合により確実に保持することができる。
【００５８】
このようなコネクタ１では、端子収容室３のガイド溝１５と端子９の係止突起１９との係合により、端子９を係止ランス１１に導くことができ、端子収容室３のガイド溝１５と端子９のガイド突起２１との係合により、端子収容室３内での端子９の回転を防止することができる。
【００５９】
従って、このようなコネクタ１では、端子収容室３の１つのガイド溝１５に端子９の係止突起１９とガイド突起２１とを係合させることにより、簡易な構造で端子９を係止ランス１１に案内でき、端子９を端子収容室３に安定して収容することができる。
【００６０】
また、ガイド溝１５は、係止ランス１１の係止突起１９との係合部２３にわたって設けられているので、端子９を端子収容室３の挿入開口５から抜く際に、係止突起１９とガイド溝１５との係合により安定して端子９を端子収容室３から離脱させることができる。
【００６１】
なお、本実施の形態に係るコネクタでは、ハウジングにフロントホルダを組付け、端子収容室の一方の開口を形成させているが、これに限らず、ハウジングにフロントホルダを組付けずに、端子収容室に一方の開口を形成させてもよい。
【符号の説明】
【００６２】
１…コネクタ
３…端子収容室
５…挿入開口
７…接続部
９…端子
１１…係止ランス
１３…対向壁
１５…ガイド溝
１７…拾い部
１９…係止突起
２１…ガイド突起
２３…係合部
【図１】
2017147062.tif 000003
【図２】
2017147062.tif 000004
【図３】
2017147062.tif 000005
【図４】
2017147062.tif 000006
【図５】
2017147062.tif 000007
【図６】
2017147062.tif 000008
【図７】
2017147062.tif 000009
【図８】
2017147062.tif 000010